(57)【要約】      （修正有）【課題】組み立てや分解の自由度の高い幕板を備えた天板付家具を提供する。【解決手段】幕板６が、幕板本体６１とエンドカバー６２と取付台座６３とを備えたものであり、エンドカバー６２が、カバー本体６２１と挿入突起６２２とを備え、挿入突起６２２が、挿入方向とほぼ直交するネジ孔６２９を有するナット部６２４と、ナット部６２４に隣接し先端側が開放されたスリット６２６を形成する二股部６２５とを有したものであり、取付台座６３が、幕板６の外面に添接され前記ネジ孔６２９に対応するボルト挿通孔６３３を有した台座本体６３１と、台座本体６３１の添接面６３８に突設され幕板６の面板６１３を貫通して前記スリット６２６に係り合う係合突起６３２とを備え、ボルト挿通孔６３３を通してナット部６２４のネジ孔６２９に螺着したボルト６９により幕板６に取り付けられる。【選択図】図１５
2014079535.tif 000002
【特許請求の範囲】
【請求項１】
天板の下方に支持部材に支持された状態で配された幕板を具備してなり、
前記幕板が、面板間に空洞を有した幕板本体と、この幕板本体の開口端に蓋着されたエンドカバーと、前記幕板本体にボルトを介して取着され前記支持部材が取り付けられる取付台座とを備えたものであり、
前記エンドカバーが、前記幕板本体の開口端を塞ぐカバー本体と、このカバー本体の内面に突設され前記空洞内に挿入される挿入突起とを備え、その挿入突起が、前記挿入方向とほぼ直交するネジ孔を有するナット部と、このナット部に隣接し先端側が開放されたスリットを形成する二股部とを有したものであり、
前記取付台座が、幕板の外面に添接され前記ネジ孔に対応するボルト挿通孔を有した台座本体と、この台座本体の添接面に突設され前記幕板の面板を貫通して前記スリットに係り合う係合突起とを備え、前記ボルト挿通孔を通して前記ナット部のネジ孔に螺着した前記ボルトにより前記幕板に取り付けられたものであることを特徴とする天板付家具。
【請求項２】
前記係合突起が、先端側に屈曲部を有する鉤形のものであり、前記幕板の面板に設けた取付孔に装着した取付状態において前記屈曲部が前記面板の内面に係わり合うようにしたものである請求項１記載の天板付家具。
【請求項３】
前記係合突起が、少なくとも前記取付状態において前記スリットの両内側面間に挟持される寸法に設定されたものである請求項２記載の天板付家具。
【請求項４】
前記挿入突起が、前記幕板の両面板間の内法寸法に対応した部分密着部を備えたものである請求項１、２または３記載の天板付家具。
【請求項５】
前記部分密着部が、前記挿入突起の先端部分に形成されている請求項１、２、３または４記載の天板付家具。
【請求項６】
前記支持部材が、前記取付台座に回転可能に接続されるリンクステーであり、前記取付台座が、リンクステーを軸支するための取付軸を備えたものである請求項１、２、３、４または５記載の天板付家具。
【発明の詳細な説明】
【技術分野】
【０００１】
本発明は、幕板を備えた天板付家具に関するものである。
【背景技術】
【０００２】
従来、幕板にリンクステーなどの支持部材を取り付ける際には、幕板のエンドカバーを幕板本体に取り付けることとは関係なしに、支持部材取付用の取付台座を幕板本体に取り付けるようにしていた。ところが、このようなものであると、エンドカバー及び取付台座をそれぞれを強固に幕板本体に取り付けるために、取付部分が複雑化したり、ボルト等の部品点数が多くなったりするという問題があった。
【０００３】
このような問題を解消するために、エンドカバーと取付台座とを共通のボルトにより幕板本体に取り付けるようにしたものも開発されている（例えば、特許文献１を参照）。
【０００４】
ところが、従来のものは、例えば、エンドカバーが破損したり汚れたりした際に、取付台座を完全に外さないとエンドカバーを取り外すことができないという問題があり、このような事情は、エンドカバーを取り付ける際にも同様に生じていた。
【先行技術文献】
【特許文献】
【０００５】
【特許文献１】特許第４８０４９７４号公報
【発明の概要】
【発明が解決しようとする課題】
【０００６】
本発明は、従来のものよりも組み立てや分解の自由度を高くすることができる幕板を備えた天板付家具を提供することを目的とする。
【課題を解決するための手段】
【０００７】
本発明は、以上のような課題を解決するために、次のような構成を採用したものである。すなわち、本発明に係る天板付家具は、天板の下方に支持部材に支持された状態で配された幕板を具備してなり、前記幕板が、面板間に空洞を有した幕板本体と、この幕板本体の開口端に蓋着されたエンドカバーと、前記幕板本体にボルトを介して取着され前記支持部材が取り付けられる取付台座とを備えたものであり、前記エンドカバーが、前記幕板本体の開口端を塞ぐカバー本体と、このカバー本体の内面に突設され前記空洞内に挿入される挿入突起とを備え、その挿入突起が、前記挿入方向とほぼ直交するネジ孔を有するナット部と、このナット部に隣接し先端側が開放されたスリットを形成する二股部とを有したものであり、前記取付台座が、幕板の外面に添接され前記ネジ孔に対応するボルト挿通孔を有した台座本体と、この台座本体の添接面に突設され前記幕板の面板を貫通して前記スリットに係り合う係合突起とを備え、前記ボルト挿通孔を通して前記ナット部のネジ孔に螺着した前記ボルトにより前記幕板に取り付けられたものであることを特徴とする。
【０００８】
ここで、「支持部材」とは、リンクステーのような回転動作可能に支持されるものに限られず、前後または左右方向にスライド可能に支持されるものや、動作不能に固定支持されるものも含まれる。
【０００９】
また、「ナット部」とは、前記挿入突起と一体に形成されるものであっても、前記挿入突起とは別体に形成されるものであってもよい。
【００１０】
このようなものであれば、組み立て時においては、幕板本体にエンドカバーを装着した後に取付台座を取り付けて、共通のボルトで止める従来の方法に加えて、先に幕板本体に取付台座を取り付けた後にエンドカバーを装着して、共通のボルトで止めるという方法も可能となり、組み立ての自由度を高めることができる。一方、分解時においても、エンドカバーと取付台座とを幕板本体に取り付けている共通のボルトを緩めるだけで、その後に取付台座を幕板本体から取り外すか否かにかかわらず、エンドカバーを幕板本体から取り外すことが可能となり、分解の自由度を高めることができる。
【００１１】
前記係合突起の好適な一態様としては、先端側に屈曲部を有する鉤形のものであり、前記幕板の面板に設けた取付孔に装着した取付状態において前記屈曲部が前記面板の内面に係わり合うようにしたものが挙げられる。
【００１２】
前記係合突起は、少なくとも前記取付状態において前記スリットの両内側面間に挟持される寸法に設定されたものが好ましい。
【００１３】
前記挿入突起の好適な一態様としては、前記幕板の両面板間の内法寸法に対応した部分密着部を備えたものが挙げられる。
【００１４】
前記部分密着部は、前記挿入突起の先端部分に形成されているものが好ましい。
【００１５】
具体的な一態様としては、前記支持部材が、前記取付台座に回転可能に接続されるリンクステーであり、前記取付台座が、リンクステーを軸支するための取付軸を備えたものが好ましい。
【発明の効果】
【００１６】
本発明は、以上のような構成であるから、組み立てや分解の自由度の高い幕板を備えた天板付家具を提供することができる。
【図面の簡単な説明】
【００１７】
【図１】本発明の一実施形態にかかるフラップ天板付家具の外観図。
【図２】同実施形態にかかるフラップ天板付家具（使用姿勢）の左側面図。
【図３】同実施形態にかかるフラップ天板付家具（跳ね上げ姿勢）の左側面図。
【図４】同実施形態にかかるフラップ天板付家具（跳ね上げ姿勢）の正面図。
【図５】図４のＸ−Ｘ線断面図。
【図６】同実施形態にかかるフラップ天板付家具の分解斜視図。
【図７】同実施形態にかかるフラップ天板付家具の要部を拡大して示す分解斜視図。
【図８】図４のＹ部分を一部省略して示す図。
【図９】図４のＺ−Ｚ線拡大断面図。
【図１０】図４のＷ−Ｗ線断面で示す作用説明図。
【図１１】図４のＷ−Ｗ線断面で示す作用説明図。
【図１２】同実施形態にかかるフラップ天板付家具の中央側断面で示す作用説明図。
【図１３】同実施形態にかかるフラップ天板付家具の中央側断面で示す作用説明図。
【図１４】同実施形態にかかる幕板及びリンクステーを示す分解斜視図。
【図１５】図８のＲ−Ｒ線断面で示す要部拡大断面図。
【図１６】同実施形態にかかる幕板の作用説明図。
【図１７】同実施形態にかかる幕板の要部を示す分解斜視図。
【図１８】図１５のＳ−Ｓ線断面図。
【発明を実施するための形態】
【００１８】
以下、本発明の一実施形態について図面を参照して説明する。
【００１９】
この実施形態は、図１〜図１８に示すように、本発明をいわゆるフラップテーブルと称されるフラップ天板付家具Ｔに適用した場合のものである。
【００２０】
このフラップ天板付家具Ｔは、図１〜図１３に示すように、左右対をなす脚体１Ａ，１Ｂと、これら脚体１Ａ，１Ｂ上に配される天板２と、この天板２を前記各脚体１Ａ，１Ｂに使用姿勢（Ｕ）から跳ね上げ姿勢（Ｆ）までの間でフラップ動作し得るように支持させる左右対をなす天板支持機構３Ａ，３Ｂと、これら両天板支持機構３Ａ，３Ｂ同士を結合させる連結ビーム４と、前記天板２の使用端ｘ側の下方に配設された棚５と、前記天板２の反使用端ｙ側の下方に配設された幕板６を具備してなる。そして、前記左右の天板支持機構３Ａ，３Ｂと、これら天板支持機構３Ａ，３Ｂ同士を結合させる連結ビーム４とを主体としてプラットフォーム化の中核となるメカユニット７が構成されている。以下、前記各構成要素について詳述する。
【００２１】
＜脚体＞
前記左の脚体１Ａは、図１〜図９に示すように、支柱１１と、この支柱１１の下端部１１ａから使用端ｘ側に延設された後脚１２と、この後脚１２よりも内側に位置させて前記支柱１１の下端部１１ａから反使用端ｙ側に延設された前脚１３と、これら後脚１２及び前脚１３の先端に設けたキャスタ１４とを備えてなる。
【００２２】
前記支柱１１は、図１〜図９に示すように、例えばスチール製の角柱パイプ素材を所要長さに切断して作られるもので、その内部に下方からボルト１１１を装着可能な竪ネジ孔１１２を有する脚取付用ブロック１１３と、左右方向からボルト１１４を装着可能な横ネジ孔１１５及び位置決め孔１１６を有する軸プレート取付用ブロック１１７とが溶接等により固設されている。この支柱１１の上端には、合成樹脂製のキャップ１１８が帽着されている。なお、前記横ネジ孔１１５及び位置決め孔１１６は、この支柱１１の起立面である内側面１１９にそれぞれ開口させてある。
【００２３】
前記後脚１２は、図１〜図６に示すように、基端側に前記支柱１１の下端に嵌合する嵌合部１２１を有したもので、その嵌合部１２１を貫通して前記支柱１１の竪ネジ孔１１２に下側から螺合させたボルト１１１により該支柱１１に取着されている。この後脚１２の外側面１２２と前記支柱１１の外側面１１０とは略面一に連続させてあり、前記前脚１３は、これら支柱１１及び後脚１２よりも内側に偏位させて設けてある。
【００２４】
前記前脚１３は、図１〜図６に示すように、基端側外側面１３１を前記後脚１２の基端側内側面１２３に一体化させたもので、この前脚１３と前記後脚１２とは、例えばアルミニューム合金を材料にして一体に作られたダイキャスト製のものである。すなわち、この前脚１３は前記後脚１２の嵌合部１２１を介して前記支柱１１の下端部１１ａに取り付けられている。前記後脚１２及び前記前脚１３の各中間部分は下方に開放された中空体状をなしており、内部に図示しない補強用のリブを備えている。
【００２５】
前記右の脚体１Ｂは、図１、図４〜図６及び図１０〜図１３に示すように、以上説明した左の脚体１Ａと左右対称形状をなすものであり、同一又は対応する部分には同一の符号を付して説明を省略する。
【００２６】
前記左の脚体１Ａの後脚１２及び前記右の脚体１Ｂの後脚１２は、図４及び図５に示すように、後方に向って漸次その間隔が大きくなるように傾斜させてあるとともに、前記左の脚体１Ａの前脚１３及び前記右の脚体１Ｂの前脚１３は、前方に向って漸次その間隔が小さくなるように傾斜させてある。
【００２７】
上記の構成であるため、前記天板２を跳ね上げた状態で前記両脚体１Ａ，１Ｂの後脚１２，１２間に同一構造をなす他の家具Ｑの左右の前脚１３，１３を侵入させることによって、当該フラップ天板付家具Ｔの使用端ｘ側に、同一構造をなす他のフラップ天板付家具Ｑをスタッキングさせることができるようになっている。
【００２８】
＜天板＞
前記天板２は、図１〜図６及び図８〜図１３に示すように、左右方向に細長い長方形状をなすものであり、例えば通常の木製天板と同様な構成をなしている。この天板２の下面２１における左右両端部に天板受け取付用の埋設ナット２２が設けられている。そして、左右方向中央に天板たわみ防止部材８が取り付けられているとともに、前記天板２の下面２１における反使用端ｙ側に前記幕板６の支持部材である固定タイプのリンクステー９１が取り付けられている。
【００２９】
前記天板たわみ防止部材８は、図４、図６、図１２及び図１３に示すように、天板２の中央部が下方にたわむのを防止するためのもので、外縁に前記使用姿勢（Ｕ）において前記連結ビーム４に当接する当接面８２と、この当接面８２に連続し前記跳ね上げ姿勢（Ｆ）から使用姿勢（Ｕ）に至る動作領域において前記連結ビーム４の外周面４１に常時近接する対向面８４とを有する当接板８１を備えたものである。すなわち、この天板たわみ防止部材８は、同一形状をなす２枚の当接板８１間に取付部８３を設けたものであって、合成樹脂等により一体に成形されており、前記取付部８３に貫挿したボルト８５を天板２の下面２１に設けた埋設ナット２３に螺着させることによって前記天板２に止着されている。
【００３０】
前記固定タイプのリンクステー９１は、図１〜図６及び図８〜図１３に示すように、基端部９１１をボルト９１２を用いて天板２の下面２１に取り付けられたもので、その先端部９１３を後述する幕板６の取付台座６３に枢着してある。
【００３１】
＜天板支持機構＞
前記左の天板支持機構３Ａは、図１〜図１１に示すように、前記天板２の下面２１に略直交する２枚の平行な仮想隣接平面Ｐ１，Ｐ２間に、前記脚体１Ａに取り付けられる軸プレート３１と、この軸プレート３１に軸支持され上面で前記天板２を受ける天板受け３２と、この天板受け３２を前記使用姿勢（Ｕ）及び前記跳ね上げ姿勢（Ｆ）に選択的にロックするためのロック爪３３とを配してなるものである。すなわち、この天板支持機構３Ａ，３Ｂは、前記脚体１Ａ，１Ｂに取り付けられ上半にヘッド部３６を有した軸プレート３１と、この軸プレート３１のヘッド部３６に軸支持された天板受け３２と、この天板受け３２内に配設された天板ロック用のロック爪３３とを備えたものである。
【００３２】
前記軸プレート３１は、図１及び図４〜図１１に示すように、前記取付面３５１を有した取付部３５と、この取付部３５から上方に延出し前記天板受け３２を主軸３７を介して軸支持するヘッド部３６とを備えたものである。前記取付部３５は、外側に取付面３５１を有したもので、その取付面３５１を前記一方の仮想隣接平面Ｐ１に合致させている。すなわち、外側に位置する一方の仮想隣接平面Ｐ１に略合致させた前記軸プレート３１の取付面３５１を、前記脚体１Ａの起立面である内側面１１９に側方から当接させて、当該軸プレート３１を前記脚体１Ａに取り付けるようにしてある。
【００３３】
前記取付部３５は、図１及び図４〜図１１に示すように、前記支柱１１の横ネジ孔１１５に対応する複数の第１のボルト挿通孔３５２と、前記連結ビーム４の軸心に対応する第２のボルト挿通孔３５５とを備えている。第１のボルト挿通孔３５２は、内側からボルト１１４を挿通して当該軸プレート３１と脚体１Ａとを結合するためのもので、内方端にボルト１１４の頭部１１４ａを収容する座ぐり孔３５４を備えている。第２のボルト挿通孔３５５は、外側からボルト３５６を挿通して当該軸プレート３１と前記連結ビーム４の一端とを結合するためのもので、外方端にボルト３５６の頭部３５６ａを収容する座ぐり孔３５７を備えている。なお、この取付部３５の取付面３５１には、前記支柱１１の位置決め孔１１６に嵌合する位置決めピン３８が突設されている。
【００３４】
前記軸プレート３１のヘッド部３６は、図７〜図１１に示すように、前記使用姿勢（Ｕ）に達した天板２を前記天板受け３２を介して上端面３９１により受け止めるヘッド部本体３９と、このヘッド部本体３９の一側に設けられ前記ロック爪３３が選択的に係わり合う第１、第２の係止部３０１，３０２を有した爪受け３０とを備えている。すなわち、前記軸プレート３１のヘッド部３６は、前記使用姿勢（Ｕ）に達した天板２を上端面３９１により受け止めるヘッド部本体３９と、このヘッド部本体３９の一側に設けられ前記ロック爪３３と係わり合って前記天板２を使用姿勢（Ｕ）にロックする第１の係止部３０１及び前記ロック爪３３と係わり合って前記天板２を跳ね上げ姿勢（Ｆ）にロックする第２の係止部３０２を有する爪受け３０とを備えたものであり、前記爪受け３０の前記ロック爪３３に対面する側の端縁３０３を、前記ヘッド部本体３９の端縁３９２よりも奥に控えた位置に配している。
【００３５】
前記爪受け３０は、図７〜図１１に示すように、前記ヘッド部本体３９と一体に成形されたもので、前記ヘッド部本体３９の外側に配されている。すなわち、前記軸プレート３１は、アルミダイキャスト製のもので、前記ヘッド部本体３９及び前記爪受け３０からなるヘッド部３６と、前記取付部３５とは、一体に成形されている。
【００３６】
前記天板受け３２は、図１〜図４及び図６〜図１１に示すように、前記天板２の下面２１に取り付けられる上板３２１と、この上板３２１の両側縁から延出され前記ヘッド部３６の両側に位置する対をなす側板３２２，３２３とを備えたものである。
【００３７】
前記上板３２１は、図７〜図１１に示すように、天板２の下面２１に密着する平板状のもので、前記埋設ナット２２に螺着されるボルト３２８により天板２に取り付けられている。
【００３８】
前記側板３２２，３２３は、図１〜図４及び図６〜図１１に示すように、この上板３２１の両側縁から延出され前記ヘッド部３６の両側に位置するもので、一方の側板３２２の外側面３２４は、前記外側に位置する一方の仮想隣接平面Ｐ１の内側に近接させてある。前記天板受け３２の両側板３２２，３２３間の内法寸法ｓ１は、前記ヘッド部３６の厚み寸法ｓ２にフラップ動作を許容するためのクリアランス寸法ｓ３を加算した値に設定されている。また、前記支柱１１の上端部分１１ｂと前記軸プレート３１のヘッド部本体３９との間に、前記爪受け３０及び前記天板受け３２の一方の側板３２２を収容可能な隙間が形成されている。前記両側板３２２，３２３には、前記主軸３７が貫通する主軸用貫通孔３２５と、ロック爪３３を支持する駆動軸３３３が貫通するロック爪用貫通孔３２６とが設けられている。
【００３９】
前記ロック爪３３は、図７、図８、図１０及び図１１に示すように、例えば、先端側に屈曲部３３１を備えた鎌状のもので、基端部３３２に前記駆動軸３３３が一体回転可能に貫装されている。駆動軸３３３の外方端３３４は、一方の側板３３２から外側方に突出しており、その外方端３３４にロック解除用の操作レバー３３０が装着されている。このロック爪３３は、図示しないねじりコイルスプリング等により軸プレート３１の爪受け３０方向に回動付勢されており、使用姿勢（Ｕ）においては、このロック爪３３の屈曲部３３１が前記爪受け３０の第１の係止部３０１に係わり合い、跳ね上げ姿勢（Ｆ）においては、前記屈曲部３３１の先端が前記爪受け３０の第２の係止部３０２に係わり合うようになっている。
【００４０】
この天板支持機構３Ａは、前記ロック爪３３及び前記ヘッド部３６を隠ぺいするようにして前記天板受け３２に設けられたカバー３４を備えている。
【００４１】
カバー３４は、図１〜図４、図６、図７、図１０及び図１１に示すように、フラップ動作時に前記軸プレート３１との干渉を避けるための可動部３４１を備えている。なお、図８及び図９では、内部の機構を示すためカバー３４の図示を省略している。具体的には、このカバー３４は、前記天板受け３２における両側板３２２，３２３の外縁間に設けられフラップ動作時にいずれの部材とも干渉することのないカバー本体３４３と、このカバー本体３４３にヒンジ３４２を介して蝶着された可動部３４１とを備えたものである。
【００４２】
前記カバー本体３４３は、図３、図７、図１０及び図１１に示すように、前記両側板３２２，３２３の先端縁間に蓋着される帯板状のもので、両側縁に前記両側板３２２，３２３の内側面に当接する取付片３４４を備えている。取付片３４４は、側板３２２，３２３に添接する側の面に突起３４５を備えており、その突起３４５を部材の一時的な弾性変形を利用して前記側板３２２，３２３に設けた取付孔３２７に係わり合わせることができるようになっている。
【００４３】
前記可動部３４１は、図１〜図４、図７、図１０及び図１１に示すように、前記カバー本体３４３と略同一幅を有する板状のもので、一端が前記ヒンジ３４２を介して前記カバー本体３４３に回動自在に支持されており、図１１に示す跳ね上げ姿勢（Ｆ）において前記カバー本体３４３では隠しきれない余剰領域Ｒ１を隠ぺいするとともに、図１０に示す使用姿勢（Ｕ）で前記余剰領域Ｒ１から退避するように構成されている。
【００４４】
前記右の天板支持機構３Ｂは、図１、図４〜図６、図１２及び図１３に示すように、以上説明した左の天板支持機構３Ａと左右対称形状をなすものであり、同一又は対応する部分には同一の符号を付して説明を省略する。
【００４５】
＜連結ビーム＞
連結ビーム４は、図１、図４〜図９、図１２及び図１３に示すように、横断面円形をなすパイプ素材を所定長さに切断してなるビーム本体４２と、このビーム本体４２内の両端近傍部に剛結された固定ナット板４３とを備えたもので、前記固定ナット板４３の中心に前記ボルト３５６が螺着されるネジ孔４４が形成されている。そして、この連結ビーム４により前記左右の天板支持機構３Ａ，３Ｂ同士を結合させることにより、前記メカユニット７が構成されている。
【００４６】
＜メカユニット＞
メカユニット７は、図１〜図１３に示すように、左右に対をなす天板支持機構３Ａ，３Ｂと、これら天板支持機構３Ａ，３Ｂの軸プレート３１，３１同士を連結する前記連結ビーム４と、前記天板支持機構３Ａ，３Ｂの駆動軸３３３，３３３同士を連結する操作連動ビーム７１とを備えたものである。
【００４７】
前記軸プレート３１と前記連結ビーム４との結合は、連結ビーム４の端面を軸プレート３１の内側面に当接させ、軸プレート３１の外側面側から第２のボルト挿通孔３５５に挿入したボルト３５６を前記連結ビーム４のネジ孔４４に螺合させ緊締することにより行われる。前記ボルト３５６をネジ孔４４に締着した状態では、前記ボルト３５６の頭部３５６ａが前記軸プレート３１の座ぐり孔３５７に埋没するようになっている。
【００４８】
また、これら両天板支持機構３Ａ，３Ｂにおける軸プレート３１，３１の外側に形成された取付面３５１，３５１を左右に対をなす脚体１Ａ，１Ｂの内側に形成された起立面にそれぞれ取り付けている。すなわち、前記脚体１Ａ，１Ｂと前記軸プレート３１との結合は、脚体１Ａ，１Ｂの支柱１１に設けられた起立面である内側面１１９に軸プレート３１の取付部３５に形成された取付面３５１を添接させ、前記取付部３５に設けられた第１のボルト挿通孔３５２に挿入したボルト１１４を前記支柱１１のネジ孔４４に螺合させ緊締することにより行われる。なお、脚体１Ａ，１Ｂの支柱１１の起立面である内側面１１９に軸プレート３１の取付面３５１を添接させる際に、前記軸プレート３１に設けられた位置決めピン３８が前記支柱１１に設けられた位置決め孔１１６に嵌合し、軸プレート３１と支柱１１との位置決めがなされるようになっている。これによって、そのメカユニット７の外側に前記脚体１Ａ，１Ｂがそれぞれ配されることになる。
【００４９】
＜棚＞
前記棚５は、図１〜図４、図６及び図８〜図１３に示すように、左右対をなす側フレーム５１，５２と、これら側フレーム５１，５２間に架設される横架材５３とを備えたものである。前記側フレーム５１，５２はそれぞれ、基端部５１１，５２１を前記連結ビーム４に回動可能に支持させるとともに、先端部５１２，５２２を自由端タイプのリンクステー９３を介して前記天板２の使用端ｘ側、具体的には、天板受け３２の内側の側板３２３に支持させたもので、その内側面に前記横架材５３の端部を保持する保持孔５１３，５２３を備えている。側フレーム５１，５２の基端部５１１，５２１はそれぞれ、使用姿勢（Ｕ）において下方に開放された形態をなし、上側から前記連結ビーム４に対して着脱し得る形態をなしている。具体的には、前記棚５の側フレーム５１，５２の基端部５１１，５２１はそれぞれ、前記連結ビーム４に対して径方向から部材の一時的な弾性変形を利用して着脱し得る側面視Ｃ字形をなすものである。
【００５０】
＜幕板＞
前記幕板６は、図１〜図６及び図８〜図１８に示すように、中空板状をなす幕板本体６１と、この幕板本体６１の開口端６１１に蓋着されたエンドカバー６２と、前記幕板本体６１にボルト６９，６０を介して取着されリンクステー９１，９２が取り付けられる取付台座６３，６４とを備えたものである。具体的には、前記幕板６は、左右両端部における上縁近傍部分６５に第１の取付台座６３を有するとともに、左右両端部における下縁近傍部分６６に第２の取付台座６４を有したものであり、前記天板２に固定された第１のリンクステー９１の先端部９１３が前記第１の取付台座６３に枢着されているとともに、前記脚体１Ａ，１Ｂに枢着された第２のリンクステー９２の先端部９２３が前記第２の取付台座６４に枢着されている。
【００５１】
前記幕板本体６１は、図１〜図４、図６及び図８〜図１８に示すように、例えば、合成樹脂の押し出し成形によって作られたもので、前後の面板６１２，６１３間に前後方向に伸びる多数のリブ６１４が形成されている。後ろ側の面板６１３、換言すれば、使用端ｘ側に向く面板６１３には、前記エンドカバー６２と第１、第２の取付台座６３，６４を該幕板本体６１に取り付けるためのボルト６９，６０が通過するボルト挿通孔６１５と、このボルト挿入孔６１５に隣接して設けられ取付台座６３，６４の後述する係合突起６３２が係わり合う矩形状の取付孔６１６とが設けられている。
【００５２】
前記エンドカバー６２は、図１〜図４、図６及び図８〜図１８に示すように、前記幕板本体６１の左右の開口端６１１を塞ぐカバー本体６２１と、このカバー本体６２１の内面に突設され前記空洞内に挿入される複数の挿入突起６２２とを備えてなるものである。各カバー本体６２１は、前記幕板本体６１の上下寸法に対応する上下寸法を有したもので、前記幕板本体６１の開口端６１１に挿入される複数の位置決め突起６２３が設けられている。前記挿入突起６２２は、前記挿入方向とほぼ直交するネジ孔６２９を有するナット部６２４と、このナット部６２４に隣接し先端側が開放されたスリット６２６を形成する二股部６２５とを有したものである。前記ナット部６２４は、前記ボルト６９，６０が挿通するボルト挿通孔６２７と、このボルト挿通孔６２７と軸心を一致させて設けられ前記ネジ孔６２９を有する金属製のナット６２８とを備えたものである。前記二股部６２５は、エンドカバー６２の挿脱方向に略平行に伸びるものである。また、前記挿入突起６２２は、前記幕板６の両面板６１２，６１３間の内法寸法ｓ６に対応した部分密着部６２０を備えており、この部分密着部６２０は、前記挿入突起６２２の先端部分、より具体的には、前記二股部６２５の先端部分に形成されている。なお、本実施形態においては、前記挿入突起６２２のナット６２８以外の部分と前記カバー本体６２１とは、合成樹脂により一体に成形されている。
【００５３】
前記第１の取付台座６３は、図１〜図４、図６及び図８〜図１８に示すように、幕板本体６１の左右両端部における上縁近傍部分６５に取り付けられ前記支持部材たる第１のリンクステー９１を介して前記天板２に回動可能に懸吊されるもので、例えば、合成樹脂により一体に成形されている。この第１の取付台座６３は、幕板６の外面に添接され前記ネジ孔６２９に対応するボルト挿通孔６３３を有した台座本体６３１と、この台座本体６３１の添接面６３８に突設され前記幕板６の面板６１３を貫通して前記スリット６２６に係り合う係合突起６３２とを備えている。前記台座本体６３１は、前記ボルト挿通孔６３３と、このボルト挿通孔６３３に挿入されたボルト６９の頭部が収容される座ぐり孔６３４と、前記第１のリンクステー９１を軸支するための取付軸６３５とを備えたものであり、前記取付軸６３５の軸心方向と前記ボルト６９の軸心方向とは、ほぼ直交するように設定されている。前記係合突起６３２は、先端側に屈曲部６３６を有する鉤形のものであり、前記幕板６の面板６１３に設けた取付孔６１６に装着した取付状態において前記屈曲部６３６が前記面板６１３、具体的には、後ろ側の面板６１３の内面に係わり合うようにしたものである。この係合突起６３２は、少なくとも前記取付状態において前記スリット６２６の両内側面６２６ａ，６２６ａ間に挟持される寸法に設定されたものである。
【００５４】
第２の取付台座６４は、図１〜図４、図６、図１０及び図１２〜図１４に示すように、幕板本体６１の左右両端部における下縁近傍部分６６に取り付けられ前記支持部材たる第２のリンクステー９２を介して前記天板２を支持する脚体１Ａ，１Ｂに接続されたもので、具体的な構成は上述した第１の取付台座６３と同様であるため、同一又は対応する部分には同一の符号を付して説明を省略する。
【００５５】
次に、この幕板６の組み立て方法の一つを図１５及び図１６を参照しながら第１の取付台座６３を例に挙げて説明する。
【００５６】
まず、前記幕板本体６１の開口端６１１側からエンドカバー６２を挿入する。その際、エンドカバー６２の挿入突起６２２及び位置決め突起６２３と幕板本体６１のリブ６１４とによって上下方向の位置決めがなされ、エンドカバー６２のナット部６２４と面板６１３のボルト挿通孔６１５との軸心がほぼ一致する。その後、第１の取付台座６３の係合突起６３２を図１６に示すように面板６１３に対して斜め方向から挿入してから前記スリット６２６の延伸方向、すなわち、エンドカバー６２の取付方向にスライド移動させる。このようにして、係合突起６３２の屈曲部６３６を面板６１３の内面に係り合わせるとともに、この係合突起６３２を二股部６２５のスリット６２６の両内側面６２６ａ，６２６ａ間に位置させる。その後、第１の取付台座６３のボルト挿通孔６３３及びエンドカバー６２のボルト挿通孔６２７を通して前記ナット部６２４のネジ孔６２９に前記ボルト６９を螺着させることにより、図１５に示すように、共通のボルト６９によって前記第１の取付台座６３とエンドカバー６２とが前記幕板本体６１に取り付けられることとなる。
【００５７】
また、この幕板６の他の組み立て方法としては、まず、第１の取付台座６３の係合突起６３２を図１６に示すように面板６１２，６１３に対して斜め方向から挿入してから前記エンドカバー６２の取付方向、すなわち、スリット６２６の延伸方向にスライド移動させる。このようにして、係合突起６３２の屈曲部６３６を面板６１３の内面に係り合わせ、その後に、前記幕板本体６１の開口端６１１側からエンドカバー６２を挿入して、前記係合突起６３２を二股部６２５のスリット６２６の両内側面６２６ａ，６２６ａ間に位置させる。その後、第１の取付台座６３のボルト挿通孔６３３及びエンドカバー６２のボルト挿通孔６２７を通して前記ナット部６２４のネジ孔６２９に螺着した前記ボルト６９を螺着させることにより、図１５に示すように、共通のボルト６９によって前記第１の取付台座６３とエンドカバー６２とが前記幕板本体６１に取り付けられることとなる。
【００５８】
なお、第２の取付台座６４も、上述した第１の取付台座６３の取り付け方法に準じて取り付けを行うことができる。
【００５９】
また、この幕板６からエンドカバー６２を外す場合にも、少なくとも２通りの方法が考えられる。すなわち、１つ目の方法は、前者の組み立て方法に準じて、ボルト６９を緩めた後に第１の取付台座６３を幕板本体６１から取り外し、その後にエンドカバー６２をスライド移動させて幕板本体６１から取り外すものが考えられる。この他に、後者の組み立て方法に準じて、ボルト６９を緩めた後に第１の取付台座６３を幕板本体６１から取り外すことなく、エンドカバー６２をスライド移動させて幕板本体６１から取り外す方法が考えられる。
【００６０】
以上に述べたように、本実施形態にかかるフラップ天板付家具Tは、天板２の下方に支持部材であるリンクステー９１，９２に支持された状態で配された幕板６を具備してなり、前記幕板６が、面板６１２，６１３間に空洞を有した幕板本体６１と、この幕板本体６１の開口端６１１に蓋着されたエンドカバー６２と、前記幕板本体６１にボルト６９，６０を介して取着され前記リンクステー９１，９２が取り付けられる取付台座６３，６４とを備えたものであり、前記エンドカバー６２が、前記幕板本体６１の開口端６１１を塞ぐカバー本体６２１と、このカバー本体６２１の内面に突設され前記空洞内に挿入される挿入突起６２２とを備え、その挿入突起６２２が、前記挿入方向とほぼ直交するネジ孔６２９を有するナット部６２４と、このナット部６２４に隣接し先端側が開放されたスリット６２６を形成する二股部６２５とを有したものであり、前記取付台座６３，６４が、それぞれ、幕板６の外面に添接され前記ネジ孔６２９に対応するボルト挿通孔６３３，６３３を有した台座本体６３１，６３１と、これら台座本体６３１，６３１の添接面６３８，６３８に突設され前記幕板６の面板６１３を貫通して前記スリット６２６に係り合う係合突起６３２，６３２とを備え、前記ボルト挿通孔６３３，６３３を通して前記ナット部６２４，６２４のネジ孔６２９，６２９に螺着した前記ボルト６９，６０により前記幕板６に取り付けられたものである。
【００６１】
そのため、組み立て時においては、幕板本体６１にエンドカバー６２を装着した後に取付台座６３，６４を取り付けて、共通のボルト６９，６０で止める従来の方法に加えて、先に幕板本体６１に取付台座６３，６４を取り付けた後にエンドカバー６２を装着して、共通のボルト６９，６０で止めるという方法も可能となり、組み立ての自由度を高めることができる。
【００６２】
一方、分解時においても、エンドカバー６２と取付台座６３，６４とを幕板本体６１に取り付けている共通のボルト６９，６０を緩めるだけで、その後に取付台座６３，６４を幕板本体６１から取り外すか否かにかかわらず、エンドカバー６２を幕板本体６１から取り外すことが可能となり、分解の自由度を高めることができる。
【００６３】
また、前記係合突起６３２が、先端側に屈曲部６３６を有する鉤形のものであり、前記幕板６の面板６１３に設けた取付孔６１６に装着した取付状態において前記屈曲部６３６が前記面板６１３の内面に係わり合うようにしたものである。本実施形態においては、リンクステー９１，９２を介して幕板６を支持させており、幕板本体６１と取付台座６３，６４との取付箇所に負荷がかかりやすくなる構造であるが、前記係合突起６３２が屈曲部６３６を有するものであるため、取付台座６３，６４の幕板本体６１への取付強度を増すことができる。特に、本実施形態においては、係合突起６３２が、先端側に屈曲部６３６を有する鉤形のものであるので、係合突起６３２をスリット６２６に沿ってスライド移動させることによって、共通のボルト６９とナット部６２４の軸心を一致させることができる。
【００６４】
さらに、前記係合突起６３２が、少なくとも前記取付状態において前記スリット６２６の両内側面６２６ａ，６２６ａ間に挟持される寸法に設定されたものであるので、ボルト６９，６０を締結する際に係合突起６３２が回転しようとしても、係合突起６３２の外側面６３７，６３７と前記スリット６２６の内側面６２６ａ，６２６ａとが当接することで前記回転を好適に抑制できる。
【００６５】
前記挿入突起６２２が、前記幕板６の両面板６１２，６１３間の内法寸法ｓ６に対応した部分密着部６２０を備えたものであるので、前記挿入突起６２２のガタツキを防止できる。すなわち、この部分密着部６２０が前記幕板本体６１に挿入された際に面板６１３の内側面に当接するため、幕板６の厚み方向の動きが抑制される。
【００６６】
特に、本実施形態においては、前記部分密着部６２０が、前記挿入突起６２２の先端部分に形成されているので、幕板本体６１への挿入突起６２２の挿入時の抵抗を少なくすることができる。また、部分密着部６２０が前記エンドカバー６２のカバー本体６２１から離れた位置に形成されているため、エンドカバー６２の幕板本体６１への取り付け状態も安定する。
【００６７】
また、前記支持部材が、前記取付台座６３，６４に回転可能に接続される第１、第２のリンクステー９１，９２であり、前記取付台座６３，６４が、リンクステー９１，９２を軸支するための取付軸６３５を備えたものであるので、リンクステー９１，９２をこの取付軸６３５を介して前記幕板６に接続させることができる。
【００６８】
なお、本発明は以上に述べた実施形態に限られない。
【００６９】
本発明の天板付家具は、上述した天板がフラップ動作するものには限られず、フラップ動作をしないものであってもよい。
【００７０】
また、支持部材は、取付台座に回転可能に支持されるリンクステーに限られず、前後または左右方向にスライド可能に支持されるものや、動作不能に固定支持されるものなどであってもよい。
【００７１】
さらに、挿入突起のスリットは、上述した実施形態で述べた平行な二股部を有するもの以外にも、例えば、先端に向かって漸次幅が狭くなるような二股部や、逆に先端に向かって漸次幅が広くなるような二股部等、どのような形状であってもよい。
【００７２】
その他、本発明の趣旨を損ねない範囲で種々に変更してよい。
【符号の説明】
【００７３】
Ｔ…フラップ天板付家具
２…天板
６…幕板
６１…幕板本体
６１１…開口端
６１２，６１３…面板
６１６…取付孔
６２…エンドカバー
６２１…カバー本体
６２２…挿入突起
６２４…ナット部
６２５…二股部
６２６…スリット
６２６ａ…内側面
６２９…ネジ孔
６２０…部分密着部
６３，６４…取付台座
６３１…台座本体
６３２…係合突起
６３３…ボルト挿通孔
６３５…取付軸
６３６…屈曲部
６３８…添接面
６９，６０…ボルト
ｓ６…内法寸法
９１，９２…リンクステー
【図１】
2014079535.tif 000003
【図２】
2014079535.tif 000004
【図３】
2014079535.tif 000005
【図４】
2014079535.tif 000006
【図５】
2014079535.tif 000007
【図６】
2014079535.tif 000008
【図７】
2014079535.tif 000009
【図８】
2014079535.tif 000010
【図９】
2014079535.tif 000011
【図１０】
2014079535.tif 000012
【図１１】
2014079535.tif 000013
【図１２】
2014079535.tif 000014
【図１３】
2014079535.tif 000015
【図１４】
2014079535.tif 000016
【図１５】
2014079535.tif 000017
【図１６】
2014079535.tif 000018
【図１７】
2014079535.tif 000019
【図１８】
2014079535.tif 000020